(57)【要約】【課題】本発明は可動部材の上下動作が安定したスイッチを提供することを目的とする。【解決手段】本発明は、この課題を解決するために、上方へ突出した筒状部２２Ａと、筒状部２２Ａの周囲に形成された凹部２２Ｂの内底面に配された第１固定接点部２２Ｃと第２固定接点部２２Ｄとを有するケース２２と、筒状部２２Ａに挿通する環状部２３Ａを有し、環状部２３Ａが第１固定接点部２２Ｃと間隔を有して対向する可動部材２３と、筒状部２２Ａに挿通する孔部２４Ｄが形成され、孔部２４Ｄの周縁部に設けられた押圧部２４Ａと、押圧部２４Ａと連結して押圧部２４Ａの上下方向の移動に応じて撓む弾性部２４Ｃとを有する駆動体２４と、を備え、押圧部２４Ａは、弾性部２４Ｃよりも硬質である構成としている。これにより、押圧部２４Ａの変形を抑制できる。【選択図】図１
2017045548.tif 000002
【特許請求の範囲】
【請求項１】
上方へ突出した筒状部と、前記筒状部の周囲に形成された凹部と、前記凹部の内底面に配された第１固定接点部と第２固定接点部と、を有するケースと、
前記筒状部に挿通する環状部を有し、前記環状部が前記第１固定接点部と間隔を有して対向する可動部材と、
前記筒状部に挿通する孔部が形成され、前記孔部の周縁部に設けられた押圧部と、前記押圧部と連結して前記押圧部の上下方向の移動に応じて撓む弾性部と、を有する駆動体と、を備え、
前記駆動体の前記押圧部は、前記弾性部よりも硬質に設定されていることを特徴とするスイッチ。
【請求項２】
前記駆動体の前記押圧部は、前記孔部の周囲を囲む環状に形成されている請求項１記載のスイッチ。
【請求項３】
前記駆動体は、前記可動部材の前記環状部と間隔を有して対向する位置に配され、押圧操作により、前記押圧部が前記可動部材の前記環状部の内周縁部を押圧する請求項１記載のスイッチ。
【発明の詳細な説明】
【技術分野】
【０００１】
本発明は、各種電子機器に搭載されるプッシュオンタイプのスイッチに関する。
【背景技術】
【０００２】
以下、従来のスイッチについて説明する。従来のスイッチは、ケースと、可動部材と、駆動体とを含んでいる。
ケースは、筒状部と、凹部と、第１固定接点部と第２固定接点部と、を含んでいる。
筒状部は、上方へ突出して形成されている。凹部は、筒状部の周囲に形成されている。第１固定接点部と第２固定接点部は、凹部の内底面に配されている。可動部材は、筒状部に挿通する環状部を有している。環状部は、第１固定接点部と間隔を有して対向して配置されている。弾性部は、筒状部に挿通される孔部が形成されている。そして、弾性部は、上下方向の移動に応じて撓み、可動部材を変形させて、可動部材を第１固定接点部および第２固定接点部と接触させている。
【０００３】
なお、この出願の発明に関連する先行技術文献情報としては、例えば、特許文献１が知られている。
【先行技術文献】
【特許文献】
【０００４】
【特許文献１】特開平１０−１２５１８０号公報
【発明の概要】
【発明が解決しようとする課題】
【０００５】
しかしながら従来のスイッチでは、可動部材が弾性部によって変形される際、弾性部材は柔らかいので、可動部材へ接触する位置がずれやすい。したがって、可動部材と第１固定接点部および第２固定接点部との接触が不安定であるという課題を有していた。
【０００６】
そこで本発明は、この問題を解決したもので、可動部材と第１固定接点部および第２固定接点部との接触を安定できることを目的としている。
【課題を解決するための手段】
【０００７】
この目的を達成するためにスイッチは、上方へ突出した筒状部と、筒状部の周囲に形成された凹部と、凹部の内底面に配された第１固定接点部と第２固定接点部と、を有するケースと、筒状部に挿通する環状部を有し、環状部が第１固定接点部と間隔を有して対向する可動部材と、筒状部に挿通する孔部が形成され、孔部の周縁部に設けられた押圧部と、押圧部と連結して押圧部の上下方向の移動に応じて撓む弾性部と、を有する駆動体と、を備え、駆動体の押圧部は、弾性部よりも硬質に設定されている。これにより所期の目的を達成することができる。
【発明の効果】
【０００８】
以上のように本発明によれば、駆動体における押圧部が硬質の材料であることで、可動部材の環状部を押し下げる際に、駆動体における押圧部の変形を抑制することができる。押圧部の変形が抑制されると、可動部材の環状部の内側を押圧でき、可動部材の上下駆動を安定させることができる。
【図面の簡単な説明】
【０００９】
【図１】本発明の実施の形態におけるスイッチの分解斜視図
【図２】本発明の実施の形態におけるスイッチの断面図
【発明を実施するための形態】
【００１０】
以下本実施の形態におけるスイッチについて説明する。
【００１１】
（実施の形態１）
以下本実施の形態におけるスイッチ２１について図面を用いて説明する。図１は、スイッチ２１の分解斜視図である。図２は、スイッチ２１の断面図である。スイッチ２１は、ケース２２と、可動部材２３と、駆動体２４とを含んでいる。
【００１２】
ケース２２は、筒状部２２Ａと、凹部２２Ｂと、第１固定接点部２２Ｃよび、第２固定接点部２２Ｄとを含んでいる。筒状部２２Ａは、ケース２２の底部から上方へ突出して配置されている。凹部２２Ｂは、筒状部２２Ａの周囲に形成されている。第１固定接点部２２Ｃと第２固定接点部２２Ｄとは、凹部２２Ｂの内底面に配置されている。
【００１３】
可動部材２３は、環状部２３Ａと、孔部２３Ｃとを含んでいる。環状部２３Ａは、第１固定接点部２２Ｃと間隔を有し、かつ第１固定接点部２２Ｃと対向するように配置されている。なお、筒状部２２Ａは、環状部２３Ａを挿通している。
【００１４】
駆動体２４は、押圧部２４Ａと、弾性部２４Ｃと、孔部２４Ｄを含んでいる。押圧部２４Ａは、孔部２４Ｄの周縁部に設けられている。弾性部２４Ｃは、押圧部２４Ａと連結されている。この構成により、弾性部２４Ｃは、押圧部２４Ａの上下方向の移動に応じて撓む。なお、筒状部２２Ａは、孔部２４Ｄを貫通している。
【００１５】
この構成により、弾性部２４Ｃが、上下方向の移動に応じて撓み、可動部材２３を変形させる。その結果、押圧部２４Ａが可動部材２３に押しつけられて、可動部材２３を第１固定接点部２２Ｃおよび第２固定接点部２２Ｄと接触させることができる。
【００１６】
以上の構成において、押圧部２４Ａの硬度は、弾性部２４Ｃの硬度よりも高い。すなわち、押圧部２４Ａは、硬質の材料を用いる。なお、押圧部２４Ａや弾性部２４Ｃの硬度は、たとえばゴム硬度によって規定すれば良い。なお、ゴム硬度は、たとえばテクロック社製のデュロメータによって測定できる。また、押圧部２４Ａや弾性部２４Ｃの硬度として、ゴム硬度によって規定することに限られず、ロックウェル硬度によって規定しても構わない。
【００１７】
したがって、押圧部２４Ａが環状部２３Ａを押し下げる際に、押圧部２４Ａの変形を抑制することができる。したがって、押圧部２４Ａが環状部２３Ａの内側を押圧する構成とすることができる。その結果、可動部材２３の上下駆動を安定させることができるので、スイッチ２１の感触が劣化することを抑制できる。また、の押圧部を硬質の材料で押すことで可動部材の反転に有するストロークが長くなり、スイッチ自体のプッシュ音を小さくすることができる。なお、プッシュ音とは可動部材が変形する際に発生する音を指す。
【００１８】
以下、スイッチ２１についてさらに詳しく説明する。スイッチ２１は、さらに操作体２５と、カバー２６を含むことが好ましい。カバー２６は、ケース２２に装着されている。カバー２６は、天面部２６Ａと、脚部２６Ｂを含んでも良い。脚部２６Ｂは、天面部２６Ａの外周端部に設けられている。なお、脚部２６Ｂは、天面部２６Ａから折れ曲がっている。そして、カバー２６は、脚部２６Ｂによってケース２２の側壁部２２Ｅに結合されている。たとえば脚部２６Ｂは、側壁部２２Ｅの突起などで係止しても良い。あるいは、脚部２６Ｂは、側壁部２２Ｅと接着剤などで結合しても良い。なお、側壁部２２Ｅは、ケース２２の底部の外周端部から上方に折れ曲がっている。
【００１９】
操作体２５は、操作者（図示せず）によって操作される。そのために、操作体２５は、カバー２６の上面から突出している。そのために、カバー２６は、天面部２６Ａに孔部２６Ｃを含んでいる。そして、操作体２５は、孔部２６Ｃを貫通している。さらに、操作体２５の下面は、駆動体２４の上面に当たっている。この構成により、操作者が、操作体２５を押すことによって、駆動体２４を押し下げることができる。
【００２０】
なお、操作体２５は、フランジ部２５Ａを含むことが好ましい。なお、フランジ部２５Ａは、操作体２５の下端部に形成されている。また、フランジ部２５Ａは、操作体２５の側面の外周から突出している。そして、フランジ部２５Ａは、天面部２６Ａの下側に配置されている。この構成により、操作体２５が、抜け落ちることを抑制できる。
【００２１】
駆動体２４は、枠部２４Ｂを含むことが好ましい。枠部２４Ｂは、弾性部２４Ｃの外周端から、外側に延びている。この場合、枠部２４Ｂは、ケース２２の側壁部２２Ｅの上端面とカバー２６の天面部２６Ａの下面との間に挟まれて、保持されている。そしてこの状態において、フランジ部２５Ａは、弾性部２４Ｃの弾性力によって、駆動体２４と天面部２６Ａの下面との間に挟まれて、保持されている。この構成により、操作体２５がぐらつくことを抑制できる。また、操作者が操作体２５を押し下した後で、操作体２５から手を離した際に、操作体２５は弾性部２４Ｃの弾性力によって、押し戻されて、初期の位置に復帰する。
【００２２】
なお、弾性部２４Ｃの硬度は、ＨＳ６０度以上、ＨＳ７５度以下であることが好ましい。この構成により、良好なクリック感触を得ることができる。
【００２３】
押圧部２４Ａは、環状に形成されていることが好ましい。この場合、押圧部２４Ａは、孔部２３Ｃの周囲を囲むように配置する。この構成により、環状部２３Ａの位置によらず、押圧部２４Ａが環状部２３Ａを押す力のばらつきを小さくできる。なお、押圧部２４Ａの硬度は、ＨＲ７０度以上、ＨＲ１３０度以下であることが好ましい。この構成により、可動部材２３の中央部を変形することなく押圧することができる。
【００２４】
駆動体２４は、環状部２３Ａと間隔を有し、かつ環状部２３Ａと対向する位置に配置することが好ましい。この構成により、操作体２５が動くストロークを大きくできる。したがって、操作者は、操作体２５を押し下した際に、良好なクリックの感触を得ることができる。
【００２５】
またこの場合、操作体２５を押し下した際に、押圧部２４Ａは、環状部２３Ａの内周縁部を押圧することが好ましい。この構成により、可動部材２３の弾性力を大きくできる。したがって、操作者は、操作体２５を押し下した際に、さらに良好なクリックの感触を得ることができる。
【００２６】
さらに入力装置２１は、孔部２２Ｆと、孔部２４Ｄと含むことが好ましい。なお、孔部２２Ｆは、ケース２２の中心に設けられ、ケースを貫通している。孔部２４Ｄは、駆動体２４の中心に設けられており、駆動体２４を貫通している。この構成によって、孔２２Ｆ内にＬＥＤなどの発光体（図示せず）を設置することできる。
【００２７】
そしてこの場合、操作体２５は、孔部２５Ｂを含むことが好ましい。孔部２５Ｂは、操作体２５の中心に形成されており、操作体２５を貫通している。この構成により、発光体の光を操作体２５の外へ照射できる。この場合、これらの孔部２２Ｆと、孔部２４Ｄと、孔部２６Ｃと、孔部２５Ｂは、同心円状に配置されている。
【００２８】
そして、操作体２５上にキャップ（図示せず）などを装着しても良い。キャップは、天面に光透過性の表示を形成することが好ましい。これにより、発光体を発光させて、表示を光らせることができる。
【００２９】
なお、操作体２５は、孔部２５Ｂを有する構成に限られず、孔部２５Ｂを設ける代わりに光透過性の材料によって形成しても良い。この構成によっても、発光体の発する光を操作体２５の外へ放射できる。なおこの場合、操作体２５の上面に光の透過を遮断する材料層を形成して、表示を形成しても良い。これにより、別途キャップを設けずとも表示が可能である。
【産業上の利用可能性】
【００３０】
本発明にかかるスイッチは、可動部材の上下動作を安定できるという効果を有し、たとえばＬＥＤなどによる表示を要するような各種電子機器等に用いると有用である。
【符号の説明】
【００３１】
２１    スイッチ
２２    ケース
２２Ａ  筒状部
２２Ｂ  凹部
２２Ｃ  第１固定接点部
２２Ｄ  第２固定接点部
２２Ｅ  側壁部
２２Ｆ  孔部
２３  可動部材
２３Ａ  環状部
２３Ｂ  脚部
２３Ｃ  孔部
２４    駆動体
２４Ａ  押圧部
２４Ｂ  枠部
２４Ｃ  弾性部
２４Ｄ  孔部
２５    操作体
２５Ａ  フランジ部
２５Ｂ  孔部
２６  カバー
２６Ａ  天面部
２６Ｂ  脚部
２６Ｃ  孔部
【図１】
2017045548.tif 000003
【図２】
2017045548.tif 000004